(57)【要約】【課題】大型のパイプであってもパイプ吊下げ時の位置決めを容易に行うことができ、作業性も向上させることができるパイプ吊下装置を提供する。【解決手段】パイプ吊下装置１０の吊下装置本体１２は中空円筒状のパイプ部からなり、該パイプ部に挿入され表面にねじ切りがされた上下方向の調整棒２０と、該調整棒２０に螺合し前記中空円筒状のパイプ部の上方及び下方に位置する位置決めハンドル２１ａ，２１ｂとを備え、クランプ部１３又はパイプホルダー部１１にパイプ嵌合プレート２３を設け、該パイプ嵌合プレート２３と前記表面にねじ切りがされた上下方向の調整棒２０とを連結固定する固定手段１３ｂを設けた。【選択図】図１
2004143760.tif 000002
【特許請求の範囲】
【請求項１】
地面を掘削して形成される溝の両壁に設置された土留パネル又は矢板間に下水道管等を敷設する作業で使用するパイプ吊下装置であって、
該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
前記吊下装置本体は中空円筒状のパイプ部からなり、該パイプ部に挿入され表面にねじ切りがされた上下方向の調整棒と、該調整棒に螺合し前記中空円筒状のパイプ部の上方及び下方に位置する位置決めハンドルとを備え、
前記クランプ部又はパイプホルダー部にパイプ嵌合プレートを設け、該パイプ嵌合プレートと前記表面にねじ切りがされた上下方向の調整棒とを連結固定する固定手段を設けたことを特徴とするパイプ吊下装置。
【請求項２】
パイプ嵌合プレートと、表面にねじ切りがされた上下方向の調整棒とを連結固定する固定手段は、前記パイプ嵌合プレート又はクランプ部に穿設され、ねじ切りがされた孔と、該孔に螺合する固定ねじとからなることを特徴とする請求項１に記載のパイプ吊下装置。
【発明の詳細な説明】
【０００１】
【発明の属する技術分野】
本発明は、地面を掘削して形成される溝に下水道管等のパイプを敷設する作業において使用するパイプ吊下装置に関するものである。
【０００２】
【従来の技術】
一般に、下水道管を敷設する工事では、精密な勾配で敷設することが要求される。そのため、従来では掘削した溝を跨いだ路面に、門構えの形状をした丁張を所定の間隔ごとに測量器等を使用して指定された勾配となるように設置した後、この丁張の勾配に合わせて丁張り糸（水糸）を張り渡す工程を必要としている。
【０００３】
そして、上記作業の後、所定長さの棒を使用して溝に挿入した下水道管の最上部と丁張り糸との間隔を一定にするため、下水道管の下部に板等を敷いて調整する作業をした後、下水道管を固定して土砂を埋め戻していた。
【０００４】
しかし、最近ではレーザー照準器を使用し、発射されるレーザー光線を基準として敷設されるパイプの勾配を精密に設定する方法も普及してきている。
【０００５】
また、本出願人は、特願２００２−１５８４５号及び特願２００２−９８４８９号に記載のパイプ吊下装置を開発している。例えば特願２００２−９８４８９号に記載のパイプ吊下装置は、図５に示すように、地面を掘削して形成される溝の両壁に設置された土留パネル又は矢板間に下水道管等を敷設する作業で使用するパイプ吊下装置１であって、該パイプ吊下装置１は、パイプ２６の周壁を挟持するパイプホルダー部２と、該パイプホルダー部２の上方に位置する吊下装置本体３と、該吊下装置本体３と前記パイプホルダー部２とを連結するクランプ部４と、前記吊下装置本体３から前記土留パネル又は矢板を押圧する方向に延出する伸縮自在の支持杆５ａと該支持杆５ａの先端に押圧片５ｂが設置されてなるジャッキを備えた突っ張り部６とを有しており、前記パイプホルダー部２は、パイプ嵌合プレート２ａと、紐状のパイプ保持部材２ｃと、該パイプ保持部材の係止手段２ｂとを有しているものである。
【０００６】
そして、パイプ吊下装置１のみで位置決めを行った後、パイプ２６をパイプホルダー部２に吊下げ固定することによってパイプ２６の位置決めがなされるのである。
【０００７】
この発明によって、パイプの敷設作業が容易になると共に、敷設後の埋め戻し作業も簡易化することができるようになった。
【０００８】
【発明が解決しようとする課題】
ここで、クランプ部４は連結片４ａによって上下方向の調整棒３ａの下端に、この上下方向の調整棒３ａの軸周りに回動可能に固定されている。これは、ジャッキを備えた突っ張り部６，６が左右の土留パネルの平面に対して垂直方向に設置されていない場合であっても、クランプ部４を回動させることによって敷設すべきパイプの進行方向に一致させることができるようにするためのものである。
【０００９】
しかしながら、吊下げられるパイプ２６が大型のパイプである場合にはパイプ２６の自重によって、上下方向の調整棒３ａも下方向に引っ張られるため、位置決めハンドル３ｃのねじ山及びねじ溝と上下方向の調整棒３ａのねじ溝及びねじ山とが強く噛み合い一体化された状態となってしまうためパイプ２６を吊下げた後に位置決めの微調整を行いたい場合に、位置決めハンドル３ｃを回転させると、上下方向の調整棒３ａも同時に回転することとなり、上下方向の微調整ができず位置決め作業が困難なこともあった。
【００１０】
本発明は上記点に鑑み、大型のパイプであってもパイプ吊下げ時の位置決めを容易に行うことができ、作業性も向上させることができるパイプ吊下装置を提供することを目的とする。
【００１１】
【課題を解決するための手段】
請求項１の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
前記吊下装置本体は中空円筒状のパイプ部からなり、該パイプ部に挿入され表面にねじ切りがされた上下方向の調整棒と、該調整棒に螺合し前記中空円筒状のパイプ部の上方及び下方に位置する位置決めハンドルとを備え、
前記クランプ部又はパイプホルダー部にパイプ嵌合プレートを設け、該パイプ嵌合プレートと前記表面にねじ切りがされた上下方向の調整棒とを連結固定する固定手段を設けたことに特徴を有する。
【００１２】
請求項２の発明は、パイプ嵌合プレートと、表面にねじ切りがされた上下方向の調整棒とを連結固定する固定手段は、前記パイプ嵌合プレート又はクランプ部に穿設され、ねじ切りがされた孔と、該孔に螺合する固定ねじとからなることに特徴を有する。
【００１３】
【発明の実施の形態】
次に、本発明の実施の形態を図面に基づいて説明する。図１は本発明に係るパイプ吊下装置の全体を示す説明図である。このパイプ吊下装置１０は、パイプ２６の周壁を挟持するパイプホルダー部１１と、このパイプホルダー部１１の上方に位置する吊下装置本体１２と、この吊下装置本体１２とパイプホルダー部１１とを連結するクランプ部１３と、突っ張り部１４とを有する構成としている。
【００１４】
そして、突っ張り部１４は、吊下装置本体１２から土留パネルを押圧する方向（図面上は左右方向）に延出する伸縮自在の支持杆１４ａと、この支持杆１４ａの先端に押圧片１４ｂが設置されてなるジャッキからなる構成としている。尚、支持杆１４ａは、外筒と、この外筒に挿入されている伸縮棒とからなるものであり（図示せず）、伸縮棒の先端に押圧片１４ｂが設置されているのである。また、伸縮棒の表面にはねじ切りがされていて、この伸縮棒に固定ハンドル１５を螺合する構成としているのである。
【００１５】
尚、図２（イ）に示すように、一方の伸縮棒１６ａはねじ切りがされていない中空のパイプに間隔をおいて複数の貫通孔１６ｂ，１６ｂ・・を開け、支持杆の外筒１４ａの一端にも貫通孔１４ｃを開けておき、この両方の貫通孔１４ｃ，１６ｂに固定ピン１６ｃを矢印Ａの方向に差し込んだ後、この固定ピン１６ｃの頭部に回動自在に設置されているフック１６１ｃを矢印Ｂの方向に倒すことによって、固定してもよい。そして、図２（ロ）に示すように、他方の支持杆の外筒１４ａの側壁にねじ切りがされた穿設孔１４１ａを穿設し、これに螺合する固定ねじ１４２ａを設ける構成とすればパイプ吊下げ作業が終了した後の運搬時に伸縮棒１７が伸び縮みせず便利である。
【００１６】
ここで、土留パネルとは２枚のパネルを切梁サポート（図示せず）により所定の間隔で連結して掘削部位に設置して、掘削部位を所定の幅寸法に保持するものであり、詳しくは本出願人の出願である特開２０００−４５２８３号公報等に記載されている。尚、土留パネルに代えて矢板の場合でも本発明を実施することができることは言うまでもない。
【００１７】
そして、突っ張り部１４の下方には、左右位置調整部１８が設けられている。この左右位置調整部１８は、ねじ切りされた左右方向の調整棒１８ａと、この左右方向の調整棒１８ａに螺合する可動管１８ｂと調整棒１８ａに螺合する位置決めハンドル１９，１９とからなるものであり、調整棒１８ａは支持杆１４ａに対して平行に配設されている。また、可動管１８ｂは吊下装置本体１２に溶接されていて、可動管１８ｂが調整棒１８ａ上を動くことによって、吊下装置本体１２と、これに連結するパイプホルダー部１１とが図面上、左右方向に動いて左右方向の位置調整ができるようになっているのである。
【００１８】
また、吊下装置本体１２は、中空円筒状のパイプとなっており、表面がねじ切りされた上下方向の調整棒２０が挿入されている。そして、位置決めハンドル２１ａ，２１ｂが吊下装置本体１２の上方及び下方の位置で上下方向の調整棒２０に螺合している。したがって、上下方向の調整棒２０は吊下装置本体１２に対して上下動することによって、上下方向の調整棒２０に連結するパイプホルダー部１１が図面上、上下方向に動いて上下方向の位置調整ができるようになっているのである。
【００１９】
そして、上方に位置する位置決めハンドル２１ａは図３に示すように側面にねじ切りがされた孔２１ｃが穿設されており、この孔２１ｃに蝶ねじ等の固定ねじ２２が螺合することによって、上下方向の調整棒２０と上方に位置する位置決めハンドル２１ａとが固定されるのである。
【００２０】
次に、クランプ部１３は連結部１３ａと固定ねじ１３ｂと嵌合プレート固定ピン１３ｃとを有し、連結部１３ａは図４に示すように上下方向の調整棒２０の一端が貫通する貫通孔１３ｅが穿設されており、上下方向の調整棒２０の一端はワッシャ付きボルト１３ｆによって連結部１３ａに回動可能に連結されるのである。そして、調整棒２０は連結部１３ａに穿設され、ねじ切りがされた孔１３ｄに蝶ねじ１３ｂが螺合し蝶ねじ１３ｂの先端が調整棒２０の端部に当接することによって固定されるのである。
【００２１】
したがって、蝶ねじ１３ｂを緩めておけばクランプ部１３を回動させることができるのでパイプを敷設すべき方向と一致させることができる。そして、蝶ねじ１３ｂを締め付けておけばパイプ嵌合プレート２３にパイプ２６が固定された後に位置決めハンドル２１ａ，２１ｂを回転させても上下方向の調整棒２０が一緒に回転することがないので、位置決めの微調整を容易に行うことができるのである。尚、嵌合プレート固定ピン１３ｃにはパイプ嵌合プレート２３が着脱可能に取り付けられている。このパイプ嵌合プレート２３は図示していないがパイプ２６の長手方向に所定の間隔をあけてもう１枚が設置される構成としてもよい。これにより、後述する紐状のパイプ保持部材２４によってパイプ２６を保持したときの安定性を良くすることもできるのである。
【００２２】
そして、クランプ部１３とパイプ嵌合プレート２３とには位置決めのためにレーザー照準器から発射されるレーザー光線が照射されるターゲットを保持するターゲットホルダー２４が着脱可能に設置される構造となっている。
【００２３】
次に、パイプホルダー部２４はパイプ嵌合プレート２３と、紐状のパイプ保持部材２４と、紐状のパイプ保持部材２４の係止手段２５とで構成されている。そして、パイプ嵌合プレート２３はパイプ２６の径と略一致する略半円の嵌合溝２３ａを有している。また、パイプ保持部材の係止手段は図示していないが、紐状のパイプ保持部材２４の折り返された部分の一部を収容し、パイプ嵌合プレート２３に固定する構成としている。そして、パイプ保持部材２４の他方の係止手段２５は紐状のパイプ保持部材２４を通した溝付きのスロット２５ａをラチェット機構により回転させ、このスロット２５ａに紐状のパイプ保持部材２４を巻き付け、且つスロット２５ａの溝にストッパが係合して紐状のパイプ保持部材２４が緩むことがないようにした荷締機を利用したものである。この係止手段はラチェット機構のレバー２５ｂを上方（吊下装置本体方向）へ押し上げることによって紐状のパイプ保持部材２４を巻き取り且つ、巻き取られた紐状のパイプ保持部材２４を緩むことなく係止するものである。
【００２４】
尚、本発明の趣旨を逸脱しない範囲において、種々の実施形態をとるこができることは言うまでもない。例えば、上記実施形態の位置決めハンドル２１ａに穿設され、ねじ切りがされた孔２１ｃ又はクランプ部の連結部１３ａに穿設され、ねじ切りがされた孔１３ｄには蝶ねじ２２又は１３ｂを螺合する構成としているがこれに限定されるものではなく、六角ボルト等の固定ねじ又は他の固定手段であってもよいものである。また、直接パイプ嵌合プレート２３にねじ切りがされた孔を穿設して、固定ねじによって上下方向の調整棒２０を固定する構成としてもよいものである。
【００２５】
さらに、図１に示すように吊下装置本体１２の側壁にねじ切りがされた穿設孔を穿設し、これに螺合する固定ねじ２７を設ける構成とすることもできる。この構成により位置決めの際に、吊下装置本体１２の内壁と、これに挿入されている上下方向の調整棒２０とを常に同じ位置で接触させておくことができるので、上下方向の調整棒２０が吊下装置本体１２内でがたつくこと防ぎ位置決め精度のよいパイプ吊下げ作業を行うことができるのである。
【００２６】
【発明の効果】
請求項１の発明は、地面を掘削して形成される溝の両壁に設置された土留パネル又は矢板間に下水道管等を敷設する作業で使用するパイプ吊下装置であって、該パイプ吊下装置は、パイプの周壁を挟持するパイプホルダー部と、該パイプホルダー部の上方に位置する吊下装置本体と、該吊下装置本体と前記パイプホルダー部とを連結するクランプ部と、前記吊下装置本体から前記土留パネル又は矢板を押圧する方向に延出する伸縮自在の支持杆と該支持杆の先端に押圧片が設置されてなるジャッキを備えた突っ張り部とを有しているパイプ吊下装置において、
前記吊下装置本体は中空円筒状のパイプ部からなり、該パイプ部に挿入され表面にねじ切りがされた上下方向の調整棒と、該調整棒に螺合し前記中空円筒状のパイプ部の上方及び下方に位置する位置決めハンドルとを備え、
前記クランプ部又はパイプホルダー部にパイプ嵌合プレートを設け、該パイプ嵌合プレートと前記表面にねじ切りがされた上下方向の調整棒とを連結固定する固定手段を設けたことに特徴を有するので、大型のパイプを吊下げる場合でもパイプの自重によって位置決めハンドルと上下方向の調整棒とが共に回転することを防ぐことができ、パイプの位置決めを精度よく行うことができる。
【００２７】
請求項２の発明は、パイプ嵌合プレートと、表面にねじ切りがされた上下方向の調整棒とを連結固定する固定手段は、前記パイプ嵌合プレート又はクランプ部に穿設され、ねじ切りがされた孔と、該孔に螺合する固定ねじとからなることに特徴を有するので、簡易な構成で上述の請求項１記載の発明と同様にパイプの位置決めを精度よく行うことができる。
【図面の簡単な説明】
【図１】本発明に係るパイプ吊下装置の説明図である。
【図２】伸縮棒の固定手段を示す説明図である。
【図３】位置決めハンドル及び固定ねじを示す説明図である。
【図４】上下方向の調整棒の端部を固定する手段を示す説明図である。
【図５】従来のパイプ吊下装置の説明図である。
【符号の説明】
１０　パイプ吊下装置
１１　パイプホルダー部
１２　吊下装置本体
１３　クランプ部
１３ａ　連結部
１３ｂ，２２　蝶ねじ
１４　突っ張り部
１５　固定ハンドル
１８　左右位置調整部
２０　上下方向の調整棒
２１ａ，２１ｂ　位置決めハンドル
２３　パイプ嵌合プレート
【図１】
2004143760.tif 000003
【図２】
2004143760.tif 000004
【図３】
2004143760.tif 000005
【図４】
2004143760.tif 000006
【図５】
2004143760.tif 000007